(57)【特許請求の範囲】
【請求項１】
被検者の眼を検査する検査手段と、
前記検査手段に設けられ、前記被検者の顔を受ける顔受け手段と、
前記顔受け手段の特定部位に設けられ、前記被検者が該特定部位を特定するための光を発生させる手段と、
を有することを特徴とする眼科機器。
【請求項２】
前記光を発生させる手段は、発光部材であることを特徴とする請求項１に記載の眼科機器。
【請求項３】
前記光を発生させる手段は、前記特定部位の少なくとも一部を構成する蓄光部材であることを特徴とする請求項１あるいは２に記載の眼科機器。
【請求項４】
前記特定部位は、前記被検者の顔が接触する部位であることを特徴とする請求項１乃至３のいずれか１項に記載の眼科機器。
【請求項５】
前記特定部位は、前記被検者の顎を受ける顎受けと、該被検者の額を当てる額当てとのうち少なくとも一方であることを特徴とする請求項１乃至４のいずれか１項に記載の眼科機器。
【請求項６】
前記特定部位の少なくとも一部は、前記光を発生させる手段からの光を透過する光透過性の部材と、該光を拡散する光拡散性の部材とのうち少なくとも一方から成ることを特徴とする請求項１乃至５のいずれか１項に記載の眼科機器。
【請求項７】
前記特定部位は、前記被検者の顎を受ける顎受けであり、前記光を発生させる手段は、前記顎受けの底面に形成された溝に設けられることを特徴とする請求項６に記載の眼科機器。
【請求項８】
前記光透過性の部材と前記光拡散性の部材とのうち少なくとも一方が、前記顎受けの窪みの一部に形成された孔に設けられて発光窓を形成することを特徴とする請求項７に記載の眼科機器。
【請求項９】
前記特定部位の近傍に前記被検者の顔の一部が存在すること、又は前記特定部位に前記被検者の顔の一部が接触したことを検知する検知手段と、
前記検知手段の出力に基づいて前記光を発生させる手段を制御する制御手段と、
を有することを特徴とする請求項１乃至８のいずれか１項に記載の眼科機器。
【請求項１０】
前記顔受け手段の第１の支柱に設けられた発光素子と、
前記顔受け手段の第２の支柱に設けられ、前記発光素子からの光を受光する受光素子と、
前記受光素子の出力に基づいて前記光を発生させる手段を制御する制御手段と、
を有することを特徴とする請求項１乃至８のいずれか１項に記載の眼科機器。
【請求項１１】
前記特定部位は、前記被検者の顎を受ける顎受けであり、前記顎受けの底面に設けられ、前記顔の重量によって圧縮する弾性部材と、
前記顎受けの底面に設けられ、前記弾性部材の圧縮に応じて作用する手段と、
前記作用する手段の出力に基づいて前記光を発生させる手段を制御する制御手段と、
を有することを特徴とする請求項１乃至５のいずれか１項に記載の眼科機器。
【請求項１２】
前記特定部位は、前記被検者の顎を受ける顎受けであり、前記顎受けは、前記被検者の顎の側面が接触する側壁を有し、
前記光を発生させる手段は、前記側壁の前記略鉛直方向に形成された孔に設けられることを特徴とする請求項１乃至５のいずれか１項に記載の眼科機器。
【請求項１３】
前記顔受け手段の周囲の照度を検知する照度検知手段と、
前記照度検知手段の出力に基づいて前記光を発生させる手段を制御する制御手段と、
を有することを特徴とする請求項１乃至９のいずれか１項に記載の眼科機器。
【請求項１４】
前記特定部位を複数とし、前記複数の特定部位に対応する前記光を発生させる手段を異なる色で発光又は何れか１つを点滅して発光させる制御手段を有することを特徴とする請求項１乃至９のいずれか１項に記載の眼科機器。
【請求項１５】
前記光を発生させる手段を点滅させる制御手段を有することを特徴とする請求項１乃至９のいずれか１項に記載の眼科機器。
【発明の詳細な説明】
【０００１】
【発明の属する技術分野】
本発明は、被検者の眼を光学的に検査する検査装置と、この検査装置に付属して被検者の顔を固定する顔受け装置とから成る眼科機器に関するものである。
【０００２】
【従来の技術】
一般のこの種の眼科機器は、被検者の顔を適切な位置に固定するための顔受け装置と、被検者の眼を光学的に検査するための検査ユニットと、この検査ユニットを被検者の眼に位置合わせするための位置合わせ装置とから成っている。そしてこの種の顔受け装置は、被検者の顎を受ける顎受けと、被検者の額を当接させる額当てとを支持部材により支持した構成となっており、支持部材は固視誘導や外眼部照明のための照明光源を備えている場合もある。
【０００３】
この従来の眼科機器は、暗室などの照明の全く存在しない場所や、検者や被検者が自由に歩ける程度の僅かな照明の存在する場所で使用する場合が多い。そして、顔受け装置は被検者の顔を正しく固定することが重要となっている。
【０００４】
【発明が解決しようとする課題】
しかしながら、被検者は眼科機器に慣れていない場合が多いので、たとえ被検者の視力が正常で部屋が或る程度明るい場合であっても、被検者は顎を顎受けにどのように載せ、額を額当てにどのように当てるのか戸惑うことが少なくない。
【０００５】
まして、被検者の視力に障害があり、部屋が暗い場合には、被検者は顎受けや額当てを視認することが益々困難になる。このため、被検者が顔を顔受け装置に自ら固定することが極めて困難となるばかりでなく、介助者を必要する場合も珍しくはない。
【０００６】
また、検者が被検者を顔受け台に正確に誘導しようにも、予備知識のない者にとって顎受けや額当てを的確に識別できるようなマーキングもなされていないので、口頭での誘導指示に困難がある。
【０００７】
そして、顔受け装置が固視誘導や外眼部照明のための照明光源を備えている場合でも、暗い部屋でも、被検者に顎受けや額当ての大まかな位置を視認させることができるが、被検者に顎受けや額当ての存在を明瞭に認識させることはできない。
【０００８】
本発明の目的は、上述の問題点を解消し、暗室においても顔受け装置の特定部位の位置を明瞭に視認し得る眼科機器を提供することにある。
【０００９】
【課題を解決するための手段】
上記目的を達成するための本発明に係る眼科機器は、
被検者の眼を検査する検査手段と、
前記検査手段に設けられ、前記被検者の顔を受ける顔受け手段と、
前記顔受け手段の特定部位に設けられ、前記被検者が該特定部位を特定するための光を発生させる手段と、
を有することを特徴とする。
【００１０】
【発明の実施の形態】
本発明を図示の実施の形態に基づいて詳細に説明する。
図１は第１の実施の形態の外観斜視図である。眼科機器は被検者の眼を検査するための検査装置１と、被検者の顔を固定するための顔受け装置２とから成っている。検査装置１は共通の基台３の上に可動台４を前後及び左右方向に移動自在に備え、この可動台４の上面には検査ユニット５を上下方向に移動自在に配置している。また、可動台４の上面には、可動台４と検査ユニット５を移動する際に操作するための操作桿６と、検査ユニット５を駆動する際に操作するための操作パネル７とを備えている。
【００１１】
基台３と可動台４及び検査ユニット５は図示しない駆動機構を介して機械的に接続しており、検者が操作桿６を操作した際に可動台４は前後及び左右方向に移動し、検査ユニット５は上下方向に移動する。また、可動台４と検査ユニット５は後述する制御手段を介して電気的にも接続している。これにより、検者が操作パネル７を操作した際に、制御手段は駆動機構を制御して検査ユニット５の駆動ができる。
【００１２】
顔受け装置２では、共通の基台３に左右一対の支柱１１を平行に立設し、これらの支柱１１の上下の略中間に顎受け用梁１２を上下動自在に架設し、この顎受け用梁１２の上面に顎受け１３を設けている。そして、双方の支柱１１の上端部に額当て用梁１４を架設し、額当て用梁１４の側面には左右に位置する一対のクッション１５を貼着などにより取り付けている。
【００１３】
一方の支柱１１には、顎受け用梁１２の下においてストッパ１６を螺合しており、ストッパ１６を回転することにより顎受け用梁１２を上下方向に駆動し、顎受け１３の高さを調整できるようになっている。また、他方の支柱１１の上部には被検者の眼の高さの目標となる眼高位置線１７を設けている。そして、顎受け１３の左右には、ＬＥＤ、電球などから成る一対の発光部材１８を設け、この発光部材１８は電線１９を介して後述する制御手段に接続している。
【００１４】
図２は顎受け１３とその近傍の要部正面図、図３は図２のＡ−Ａ線に沿った断面図である。顎受け１３は被検者の顎を載せる形状の窪み２１を有し、窪み２１は顎の底面が接触する底壁２２と、顎の前面が接触する前壁２３と、顎の両側面がそれぞれ接触する両側壁２４とにより形成している。双方の側壁２４には断面円形の取付孔２５を略鉛直方向に向けてそれぞれ形成し、これらの取付孔２５の内部に上述の発光部材１８をそれぞれ配置している。発光部材１８は外部から視認できるように取付孔２５の内部に固定し、電線１９は顎受け用梁１２の内部から外部を通し、基台３から可動台４の内部に導いて制御手段に接続している。
【００１５】
図４は発光部材１８を制御するためのブロック回路構成図である。制御手段３１に操作パネル７を接続し、発光部材１８と電源３２は電線１９とスイッチング素子３３を介して接続している。そして、スイッチング素子３３は制御手段３１に接続し、制御手段３１は操作パネル７の操作を検知してスイッチング素子３３を制御するようになっている。なお、スイッチング素子３３にはリレー、サイリスタ、トランジスタなどを使用することができる。
【００１６】
被検者の眼を検査する際には、発光部材１８を制御手段３１により発光させる。そして、被検者は発光部材１８からの光を頼りに顎受け１３の位置を視認し、顎を顎受け１３に載せると共に、額を額当て用梁１４とクッション１５に押し当てる。そして、検者は被検者の眼が眼高位置線１７に合うように、ストッパ１６を回転して顎受け１３を上方又は下方に駆動する。
【００１７】
この第１の実施の形態では、顎受け１３の左右の側壁２４に発光部材１８をそれぞれ設置したので、顎受け１３の位置を被検者に確実に視認させることができ、被検者の顎を顎受け１３に容易に導くことができる。
【００１８】
また、発光部材１８を点滅させることにより顎受け１３の位置を更に明瞭にし、減光又は消灯することにより発光部材１８からの光が検査に悪影響を及ぼすことを防止できる。このとき、スイッチング素子３３を数Ｈｚ以下の速度で開の状態又は閉の状態にすることにより、発光部材１８を点滅させる。また、スイッチング素子３３を数ｋＨｚ以上の高速で開の状態又は閉の状態にし、これらの開の状態と閉の状態の割合を変化させることにより、発光部材１８の発光量を変化させる。
【００１９】
図５は第２の実施の形態の要部正面図である。顎受け用梁１２と額当て用梁１４の間において、一方の支柱１１に発光素子３４を取り付け、他方の支柱１１に受光素子３５を対向させて取り付けている。発光素子３４は波長λの光を発光するようになっており、受光素子３５は波長λの光にのみに感受性を持っている。受光素子３５の出力は発光素子３４からの光束を受光している間だけオンとなる。また、被検者の顔が顎受け１３とクッション１５に接近した際に発光素子３４から受光素子３５に向かう光束を遮るので、受光素子３５の出力はオフとなる。
【００２０】
図６はこの第２の実施の形態の発光部材１８を制御するためのブロック回路構成図である。図４の操作パネル７の代りに、受光素子３５を制御手段３１に接続している。そして、受光素子３５の出力がオンとなったときに、制御手段３１はスイッチング素子３３を閉の状態にして発光部材１８を発光させる。また、受光素子３５の出力がオフになった場合に、制御手段３１はスイッチング素子３３を開の状態にして発光部材１８の発光を停止させる。
【００２１】
図７はこの第２の実施の形態の発光部材１８を制御するための他のブロック回路構成図である。ここでは治療や検査のときだけに部屋の明るさを自動的に低下させることを可能としている。即ち、発光素子３４と受光素子３５の代りに、部屋の明るさを検出するための受光素子３６を顔受け装置２の近傍に設置し、この受光素子３６を制御手段３１に接続している。この受光素子３６は全可視広域の波長の光に感度を有し、入射光量に比例して出力を増加させる。
【００２２】
部屋の明るさが被検者や検者が自由に歩くことのできる程度である場合、つまり受光素子３６の出力が規定値以上である場合に、制御手段３１はスイッチング素子３３を閉の状態にして発光部材１８を発光させる。そして、部屋の明るさが検査や治療を可能とする程度に低下した場合、つまり受光素子３６の出力が規定値以下になった場合に、制御手段３１はスイッチング素子３３を開の状態にして発光部材１８の発光を停止させる。
【００２３】
図８は第３の実施の形態の要部正面図、図９は図８のＢ−Ｂ線に沿った断面図である。顎受け用梁１２と顎受け１３の間に、ゴム、フェルト、ばねなどの弾性部材３７を顎受け１３の底面の縁部に沿って介在させ、顎受け１３を顎受け用梁１２から所定の距離だけ離している。そして、顎受け用梁１２には、スイッチング素子３３の代りとなるマイクロスイッチ３８を、顎受け１３の底面の左右のほぼ中央に接するように配置している。
【００２４】
図１０はこの第３の実施の形態の発光部材１８を制御するためのブロック回路構成図である。発光部材１８と電源３２の間にマイクロスイッチ３８を常時閉の状態で接続しており、この状態では発光部材１８が発光している。そして、被検者が顎を顎受け１３に載せると、顎受け１３は顔の重量によって弾性部材３７を圧縮し、顎受け１３の底面がマイクロスイッチ３８に作用する。これにより、マイクロスイッチ３８が開の状態に切換わり、発光部材１８の発光が停止する。これに対し、被検者が顎を顎受け１３から離せば、弾性部材３７が復元して顎受け１３を押し上げ、マイクロスイッチ３８が常時閉の状態に戻り、発光部材１８が再発光する。なお、マイクロスイッチ３８の代りに圧力センサ、フォトスイッチなども使用できる。
【００２５】
この第３の実施の形態では、マイクロスイッチ３８を顎受け用梁１２と顎受け１３の間に設置したが、額当て用梁１４とクッション１５の間に設置することもできる。この場合には、被検者の額がクッション１５を押圧した際にマイクロスイッチ３８が同様に作用するので、同様な効果を得ることができる。
【００２６】
図１１はこの第３の実施の形態の発光部材１８を制御するための他のブロック回路構成図である。マイクロスイッチ３８を制御手段３１に接続し、発光部材１８をスイッチング素子３３を介して制御するようにしている。即ち、被検者が顎を顎受け１３に載せ、マイクロスイッチ３８がオンの状態になったことを制御手段３１が検知したときに、制御手段３１はスイッチング素子３３を開の状態にして発光部材１８の発光を停止させる。また、被検者が顎を顎受け１３から離し、マイクロスイッチ３８がオフの状態になったことを制御手段３１が検出した場合に、制御手段３１はスイッチング素子３３を閉の状態にして発光部材１８を再発光させる。
【００２７】
図１２は第４の実施の形態の要部正面図、図１３は図１２のＣ−Ｃ線に沿った断面図である。この第４の実施の形態では、顎受け１３Ａの全体を発光させて視認性を向上させている。即ち、顎受け１３Ａを透明な材料により形成していると共に、顎受け１３Ａの底壁２２の底面に形成した取付溝２６に発光部材１８を配置している。これにより、発光部材１８を発光させた際に、顎受け１３Ａを全体的に輝かせることができる。
【００２８】
なお、顎受け１３Ａを透明性の高い材料により形成した場合に、顎受け１３Ａの中に発光部材１８からの距離によって輝度の差が発生し易い。従って、顎受け１３Ａは完全に透明な材料ではなく光拡散性を持った材料により形成すれば、顎受け１３Ａの全体を均一に輝かせることができる。
【００２９】
図１４は第５の実施の形態の要部正面図、図１５は図１４のＤ−Ｄ線に沿った断面図である。この第５の実施の形態では、顎受け１３Ｂの被検者の顎が接する部分のみを輝かせるようにしている。即ち、顎受け１３Ｂは第１の実施の形態と同様な材料により形成し、顎受け１３Ｂの窪み２１の一部に例えば断面矩形の窓用孔２７を形成している。そして、窓用孔２７に透明な材料を埋設して発光窓３９を形成し、この発光窓３９の底面に形成した取付溝３９ａに発光部材１８を配置している。
【００３０】
これにより、発光部材１８を発光させた際に、発光窓３９のみを輝かせて被検者に顎受け１３Ｂの位置を容易に視認させることができる。そして、被検者が顎受け１３Ｂの窪み２１に顎を載せると、その顎が光を遮るので、制御手段３１による発光部材１８の発光制御が不要となる。なお、発光窓３９を光拡散材料により形成すれば、発光窓３９の全体を一様に輝かせることができる。
【００３１】
図１６は第６の実施の形態の要部正面図、図１７は図１６のＥ−Ｅ線に沿った断面図である。この第６の実施の形態では、顎受け１３Ｃの窪み２１の一部に例えば矩形状の凹部２８を形成し、この凹部２８に蓄光部材４０を埋設している。従って、上述の実施の形態では必要であった発光部材１８、電線１９、電源３２などが不要となり、構成の簡素化が可能となる。なお、蓄光部材４０を混入した材料により顎受け１３Ｃの全体を形成すれば、顎受け１３Ｃの全体を発光させることができることは云うまでもない。
【００３２】
図１８は第７の実施の形態の要部正面図、図１９は図１８のＦ−Ｆ線に沿った断面図である。この第７の実施の形態では、上述の第１〜第５の実施の形態の電線１９を短縮すると共に、発光部材１８の発光を手動で制御するようにしている。即ち、第５の実施の形態と同様な顎受け１３Ｂと発光部材１８とを備え、顎受け用梁１２の中に電池４１を設置している。発光部材１８と電池４１は電線４２を介して接続していると共に、回路を開閉するためのトグルスイッチ４３を設けている。
【００３３】
従って、電池４１を発光部材１８の近傍に配置したので、電線４２の長さを短縮できる。また、発光部材１８をトグルスイッチ４３により発光又は発光停止できるので、上述の制御手段３１による制御が不要となる。更に、発光部材１８の発光が不要な場合にはトグルスイッチ４３を操作して回路を開き、電池４１の消耗を抑制できる。
【００３４】
図２０は第８の実施の形態の要部正面図、図２１は図２０のＧ−Ｇ線に沿った断面図である。額当て用梁１４には孔１４ａをクッション１５の背後に位置するように形成し、クッション１５は光透過性又は光拡散性の材料により形成している。そして、額当て用梁１４の内部に発光部材１８を孔１４ａに対応するように配置し、発光部材１８は電線４４を介して基台３に設置した電源３２に接続している。電線４４は額当て用梁１４、支柱１１、基台３の内部を通って電源３２に接続している。
【００３５】
この場合に、額当て用梁１４の全体を光透過性又は光拡散性の材料により形成すれば、額当て用梁１４の全体を輝かすことができる。また、発光部材１８の発光は、第１の実施の形態のみならず第２、第３の実施の形態のように制御することができる。そして、第５の実施の形態のように額当て用梁１４又はクッション１５を蓄光部材の混入した材料により形成すれば、発光部材１８と電線４４は不要となる。
【００３６】
なお、上述の第１〜第８の実施の形態において、発光部材１８を顎受け１３、額当て用梁１４、クッション１５に対してそれぞれ異なる色で発光させ、或いはそれらを異なる色の光透過材料又は光拡散材料により形成すれば、それらを更に明瞭に視認させることが可能となる。
【００３７】
この場合に、検者は例えば「赤く光っている所に顎を載せ、青く光っている所に額を当て下さい」と云いながら被検者の顔を的確に誘導することが可能となる。また、顎受け１３、額当て用梁１４、クッション１５の色を変化させるのではなく、それらに個々に対応する発光部材１８を設け、これらの発光部材１８の何れか１つを点滅させれば、被検者にそれらを更に容易に視認させることができる。そして、眼科機器を暗室で使用しない場合には、顎受け１３、額当て用梁１４、クッション１５などを輝かせたり発光させたりする必要がないので、それらに赤、オレンジ等の視認性に優れた彩色を施すことにより、被検者にそれらを容易に視認させることができる。
【００３８】
【発明の効果】
以上説明したように本発明に係る眼科機器は、顔受け装置が被検者に特定部位を視認させるための目標を有するので、被検者に特定部位を明瞭に視認させることができ、被検者の顔を容易に顔受け装置に誘導することができる。従って、検査や治療を円滑に行わせることができる上に、検者や被検者の心理的な負担と疲労を軽減させることができ、更には介助者を必要としない。
【００３９】
また、特定部位を発光させれば特定部位を確実に視認させることができ、検査や治療に際して特定部位の発光を停止すれば、光が検査や治療に悪影響を及ぼすことを防止できる。また、顔が触れる特定部位だけを発光させれば光を顔により遮ることができ、発光を制御しなくても光が検査や治療に悪影響を及ぼすことを防止できる。更に、特定部位に蓄光部材を使用すれば、特定部位を発光させるための構造を簡素化できる。そして、２以上の特定部位を異なる色で発光させれば、被検者の顔受け装置の構造に対する理解をより一層向上させ、誘導を更に円滑に行える。
【図面の簡単な説明】
【図１】第１の実施の形態の外観斜視図である。
【図２】要部正面図である。
【図３】図２のＡ−Ａ線に沿った断面図である。
【図４】発光部材を制御するためのブロック回路構成図である。
【図５】第２の実施の形態の要部正面図である。
【図６】発光部材を制御するためのブロック回路構成図である。
【図７】発光部材を制御するための他のブロック回路構成図である。
【図８】第３の実施の形態の要部正面図である。
【図９】図８のＢ−Ｂ線に沿った断面図である。
【図１０】発光部材を制御するためのブロック回路構成図である。
【図１１】発光部材を制御するための他のブロック回路構成図である。
【図１２】第４の実施の形態の要部正面図である。
【図１３】図１２のＣ−Ｃ線に沿った断面図である。
【図１４】第５の実施の形態の要部正面図である。
【図１５】図１４のＤ−Ｄ線に沿った断面図である。
【図１６】第６の実施の形態の要部正面図である。
【図１７】図１６のＥ−Ｅ線に沿った断面図である。
【図１８】第７の実施の形態の要部正面図である。
【図１９】図１８のＦ−Ｆ線に沿った断面図である。
【図２０】第８の実施の形態の要部正面図である。
【図２１】図２０のＧ−Ｇ線に沿った断面図である。
【符号の説明】
１  検査装置
２  顔受け装置
３  基台
４  可動台
５  検査ユニット
６  操作桿
７  操作パネル
１１  支柱
１２  顎受け用梁
１３、１３Ａ、１３Ｂ、１３Ｃ  顎受け
１４  額当て用梁
１５  クッション
１６  ストッパ
１７  眼高位置線
１８  発光部材
１９、４２、４４  電線
２１  窪み
２５  取付孔
２７  窓用孔
３１  制御手段
３２  電源
３３  スイッチング素子
３４  発光素子
３５、３６  受光素子
３７  弾性部材
３８  マイクロスイッチ
３９  発光窓
４０  蓄光部材
４１  電池
４３  トグルスイッチ
【図１】
0005153041.tif 000002
【図２】
0005153041.tif 000003
【図３】
0005153041.tif 000004
【図４】
0005153041.tif 000005
【図５】
0005153041.tif 000006
【図６】
0005153041.tif 000007
【図７】
0005153041.tif 000008
【図８】
0005153041.tif 000009
【図９】
0005153041.tif 000010
【図１０】
0005153041.tif 000011
【図１１】
0005153041.tif 000012
【図１２】
0005153041.tif 000013
【図１３】
0005153041.tif 000014
【図１４】
0005153041.tif 000015
【図１５】
0005153041.tif 000016
【図１６】
0005153041.tif 000017
【図１７】
0005153041.tif 000018
【図１８】
0005153041.tif 000019
【図１９】
0005153041.tif 000020
【図２０】
0005153041.tif 000021
【図２１】
0005153041.tif 000022